(57)【要約】      （修正有）【課題】細かな立体形状の部分を見栄えよく面取りできるようにした食材調理具を提供する。【解決手段】グリップ１１と切れ刃１２とから構成される面取り具１０を備え、切れ刃の前半部が円弧状でかつ先細り状に形成されており、切れ刃の先端を食材の端面又は穴内面に接触させ、端面又は穴内面を案内面として切れ刃の円弧状部分を食材の角部に沿って送ることによって食材の角部をアール状に面取りし得るようになっている。【選択図】図１
0003172268.tif 000002
【実用新案登録請求の範囲】
【請求項１】
細かな立体形状の部分を見栄えよく面取りできるようにした食材調理具であって、
グリップ（１１）又は摘まみ（１３）と切れ刃（１２）とから構成される面取り具（１０）を備え、上記切れ刃（１２）の前半部が円弧状でかつ先細り状に形成されており、
上記切れ刃（１２）の先端を食材（５０、５１）の端面又は穴（５３）内面に接触させ上記端面又は穴（５３）内面を案内面として上記切れ刃（１２）の円弧状部分（１２Ａ、１２Ｂ）を食材（５０、５１）の角部に沿って送ることによって食材（５０、５１）の角部をアール状に面取りし得るようになっていることを特徴とする食材調理具。
【請求項２】
所望の平面閉形状をなす押込み刃（２１）を有し、上記押込み刃（２１）を食材（５０）に押し込むことによって上記食材（５０）を上記平面閉形状の型抜き食材（５１）と食材（５０）の本体とに分離するための抜き型（２０）を更に備え、上記面取り具（１０）と組合せて用いられるようにした請求項１記載の食材調理具。
【請求項３】
所望の平面閉形状をなす押込み刃（２１）を有し、上記押込み刃（２１）を食材（５０）に押し込むことによって食材（５０）に上記平面閉形状の押込み溝（５２）を形成するための抜き型（２０）と、
グリップ（３１）と切れ刃（３２）とから構成され、上記切れ刃（３２）の先端部がＬ字状に折り曲げられ、該切れ刃（３２）のＬ字状部分が上記押込み溝（５２）内に差し込まれて上記押込み溝（５２）の底部中央に向けて回転されその状態で上記押込み溝（５２）に沿って送られることによって上記食材（５０）を上記平面閉形状の型抜き食材（５１）と上記平面閉形状の穴（５３）を有する食材（５０）の本体とに切り離すための切り離し具（３０）とを更に備え、上記面取り具（１０）と組合せて用いられるようになした請求項１記載の食材調理具。
【請求項４】
上記面取り具（１０）は、皮を残して食材（６０）を輪抜きするための輪抜き型（７０）の外周面に設けられたレール（７１）にスライド自在に取り付けられ、上記面取り具（１０）の摘まみ（１３）をレール（７１）に沿ってスライドさせることにより切れ刃（１２）の円弧状部分（１２Ａ）を食材（５０）の角部に沿って送って食材（５０）の角部をアール状に面取りするようになっている請求項１記載の食材調理具。
【考案の詳細な説明】
【技術分野】
【０００１】
本考案は食材調理具に関し、特に細かな立体形状の部分を見栄えよく面取りできるようにした調理具に関する。
【背景技術】
【０００２】
例えば、大根を輪切りにして長時間煮込むと、大根の角部が煮くずれを起こしやすく、料理の見栄えが損なわれることから、例えば輪切り大根の角部を面取りして煮くずれを少なくすることが行われている。
【０００３】
従来、大根などの面取りは包丁やピーラー（皮むき）を用いて行っていたが（特許文献１）、包丁やピーラーの扱いに不慣れな者には面取りが煩わしく、しかも面取りした部分の幅や角度がバラバラとなって料理の見栄えがよくなかった。
【０００４】
これに対し、平板状の本体の両側に曲率の異なる縦壁を設け、この縦壁に刃物を斜めに固定して大きさの異なる大根等の面取りを容易に行えるようにした面取り具（特許文献２）、あるいは側縁の一部が円弧状をなす天板に側板を直角に一体的に形成し、側板と天板の角部を切り欠いて刃物を斜めに固定するようにした面取り具（特許文献３）、が提案されている。
【先行技術文献】
【特許文献】
【０００５】
【特許文献１】実開昭６３−１１１８２４号公報
【特許文献２】実用新案登録第３１５４５４２号公報
【特許文献３】特許第３７２８５６３号公報
【考案の開示】
【考案が解決しようとする課題】
【０００６】
ところで、大根から様々な形状に打ち抜いた飾り大根、例えば花型の飾り大根を雑煮の具やおでん種に用いる一方、残った大根も中央に花型の穴があって珍しく、細工大根としておでん種に用いることが提案されているが、上述の飾り大根や細工大根も長時間煮込む場合には角部の煮崩れが懸念される。
【０００７】
しかし、特許文献２、３記載の面取り具では飾り大根や細工大根の中央の穴など、細かな立体形状の部分を面取りすることは難しい。
【０００８】
本考案はかかる問題点に鑑み、細かな立体形状の部分を見栄えよく面取りできるようにした食材調理具を提供することを課題とする。
【課題を解決するための手段】
【０００９】
そこで、本考案に係る食材調理具は、細かな立体形状の部分を見栄えよく面取りできるようにした食材調理具であって、グリップ又は摘まみと切れ刃とから構成される面取り具を備え、上記切れ刃の前半部が円弧状でかつ先細り状に形成されており、上記切れ刃の先端を食材の端面又は穴内面に接触させ上記端面又は穴内面を案内面として上記切れ刃の円弧状部分を食材の角部に沿って移動させることによって食材の角部をアール状に面取り可能となっていることを特徴とする。
【００１０】
本考案の特徴の１つは切れ刃の前半部を円弧状でかつ先細り状に形成するようにした点にある。
【００１１】
これにより、端面や穴内面を案内面として切れ刃を送ることができ、面取りに不慣れな者であっても、又食材が細かな立体形状であっても、安定した幅や角度に面取りすることができる。
【００１２】
しかも、面取りした面が平坦面ではなく、アール状の面となるので、煮くずれが平坦な面取りの場合に比較してより確実に抑制できるばかりでなく、端面と側面や端面と穴内面とがアール状の面によって滑らかに連続し、見栄えもよい。
【００１３】
また、本考案によれば、角部をアール状に面取りした細かな立体形状の飾り食材や、細かな立体形状の型抜き穴を有しかつ角部をアール状に面取りした斬新な食材を提供することができる。
【００１４】
ここで、本考案が適用される食材は特に限定されないが、大根、人参、蕪、さつまいも、里芋、じゃがいもなどの根菜類に適用するとその効果が大きい。
【００１５】
本考案に係る食材調理具は飾り大根の面取りや残った大根の穴周縁の面取りに適用するとその効果が大きい。即ち、本考案によれば、上述の面取り具に加え、所望の平面閉形状をなす押込み刃を有し、上記押込み刃を食材に押し込むことによって上記食材を上記平面閉形状の型抜き食材と上記平面閉形状の穴を有する食材本体とに分離するための切離し具を更に備える食材調理具を提供することができる。。
【００１６】
また、本考案によれば、上述の面取り具に加え、所望の平面閉形状をなす押込み刃を有し、上記押込み刃を食材に押し込むことによって食材に上記平面閉形状の押込み溝を形成するための抜き型と、グリップと切れ刃とから構成され、上記切れ刃の先端部がＬ字状に折り曲げられ、該切れ刃のＬ字状部分が上記押込み溝内に差し込まれて上記押込み溝の底部中央に向けて回転されその状態で上記押込み溝に沿って移動されることによって上記食材を上記平面閉形状の型抜き食材と上記平面閉形状の穴を有する食材本体とに分離するための切離し具を更に備える食材調理具を提供することができる。
【００１７】
また、コンビニエンスストアーなどではおでん種として大根を皮剥きした大根を大量に必要とすることがある。かかる場合、所定の厚みに輪切りした大根に輪抜き型を押し込み、皮を残して輪抜きすることが行われている。そこで、輪抜き型の外側面に沿ってレールを設け、レールに面取り具をスライド自在に支持し、大根を輪抜きした後、大根の角部を切刃の円弧状部分でアール状に面取りするようにすると、調理の作業性を大幅にアップできる。
【図面の簡単な説明】
【００１８】
【図１】本考案に係る食材調理具の好ましい実施形態を示す図である。
【図２】上記実施形態における使用方法を模式的に示す図である。
【図３】上記実施形態を用いた食材の調理例を示す図である。
【図４】他の調理例を示す図である。
【図５】さらに他の調理例を示す図である。
【図６】他の実施形態における面取り具を示す図である。
【図７】さらに他の実施形態における面取り具の使用の１例を模式的に示す図である。
【図８】図７に続く工程を示す図である。
【考案を実施するための形態】
【００１９】
以下、本考案を図面に示す具体例に基づいて詳細に説明する。図１ないし図５は本考案に係る食材調理具の好ましい実施形態を示す。本例の調理具は図１に示されるように、抜き型２０Ａ、２０Ｂ、２０Ｃ、切離し具３０、面取り具１０及び溝切り具４０の組み合わせから構成される。
【００２０】
抜き型２０Ａ〜２０Ｃは例えばステンレス鋼を用いて花、ハート、星、その他の平面閉形状に成形され（但し、図には花、ハート、星の平面閉形状のものを示している）、先端部には押込み刃２１が形成されており、押込み刃２１を食材５０に押し込み途中で押し込みを停止することによって平面閉形状の押込み溝５２を形成し、又最後まで押し込むことによって花、ハート、星等の平面閉形状の飾り食材５１を型抜きすることができるようになっている。
【００２１】
切離し具３０はステンレス棒鋼を用いて形成され、相互に一体のクリップ３１と切れ刃３２とから構成され、切れ刃３２は先端部がＬ字状に折り曲げられ、切れ刃３２の先端部を押込み溝５２に差し込み、押込み溝５２の底部中央に向けて回転させ、その状態で押込み溝５２に沿って送ることによって飾り食材５１を食材５０の本体から切り離すことができるようになっている。
【００２２】
面取り具１０は合成樹脂製のグリップ１１とステンレス鋼製の切れ刃１２とから構成され、切れ刃１２の前半部が円弧状でかつ先細り状に形成され、切れ刃１２の先端を飾り食材５１の端面又は食材５０の本体の穴５３の内面に接触させ、端面又は穴内面を案内面として切れ刃１２の円弧状部分１２Ａを飾り食材５１又は食材５０の本体の角部に沿って送ることによって食材５０、５１の角部をアール状に面取りできるようになっている。
【００２３】
溝切り具４０は合成樹脂製のグリップ４１とステンレス鋼製の切れ刃４２とから構成され、切れ刃４２の先端部はコ字状に折り曲げられ、食材５０、５１に凹状の溝５５を形成できるようになっている。
【００２４】
例えば、輪切りの大根（食材）５０から飾り大根５１を抜く場合、所望の平面閉形状、例えばハート形状の抜き型２０Ｂを用い、図２の（ａ）（ｂ）に示されるように、輪切り大根５０の中央に抜き型２０Ｂを押し込む。
【００２５】
所望の深さまで押し込むと、図２の（ｃ）に示されるように、輪切り大根５０にハート形状の押込み溝５２を形成することができる。次に、図２の（ｄ）に示されるように、切離し具３０のグリップ３１を指でつまみ、切れ刃３２のＬ字状先端部を押込み溝５２に差し込み、押込み溝５２の中央に向けて切離し具３２を回転させ、その状態で切れ刃３２を押込み溝５２に沿って送ると、図２の（ｅ）に示されるように、所望の厚みのハート形状の飾り大根５１を大根５０の本体から切り離すことができ、残った大根５０の本体にはハート形状の穴５３ができる。
【００２６】
次に、図３の（ａ）に示されるように、面取り具１０のグリップ１１を手で握り、切れ刃１２の円弧状部分１２Ａを飾り大根５１の角部に切り込ませるとともに、切れ刃１２の先端を飾り大根５１の端面に当て、その状態で飾り大根５１の端面を案内面として切れ刃１２を飾り大根５１の角部に沿って送ると、図３の（ｂ）に示されるように、飾り大根５１の角部を面取りすることができる。
【００２７】
このとき、面取り具１０の切れ刃１２の前半部は円弧状に形成されているので、図３の（ｃ）に示されるように、飾り大根５１の角部がアール状に面取りされる。
【００２８】
また、残った大根５０の本体の穴５３の周縁の角度については、図４の（ａ）に示されるように、切れ刃１２の円弧状部分１２Ａを飾り大根５０の穴５３の角部に切り込ませるとともに、面取り具１０の切れ刃１２の先端を穴５３の内面に当て、その状態で大根５０の穴５３の内面を案内面として切れ刃１２を穴５３の角部に沿って送ると、図４の（ｂ）（ｃ）に示されるように、大根５０の穴５３周縁の角部をアール状に面取りすることができる。
【００２９】
同様に、大根５０の上下端面の角部についても、面取り具１０の切れ刃１２の先端を端面に当て、上下の端面を案内面として大根５０の上下端面の角部をアール状に面取りすることができる。
【００３０】
また、必要の場合には図５に示されるように、溝切り具４０を用いて例えば飾り大根５１の端面に凹状の溝５５を入れて装飾することができる。
【００３１】
また、抜き型２０Ｂを大根５０に押し込むときに、途中で止めずに最後まで押し込むと、切離し具３０を用いることなく、飾り大根５１を抜くことができる。
【００３２】
図６は第２の実施形態を示す。本例では面取り具１０の切れ刃１２に円弧状部分１２Ａ、１２Ｂを２段に形成しており、このようにすると面取りすべき角部が細かくかつ複雑な立体形状であっても、角部に対して切れ刃１２の円弧状部分１２Ａ、１２Ｂを任意の角度に切れ込ませて送ることができる。
【００３３】
図７及び図８は第３の実施形態を示す。本例では大根の輪抜き型７０の外周面に断面チャネル状のレール７１を全周にわたって固定し、レール７１にはスライダーをスライド自在に内装し、スライダーには面取り具１０の摘まみ１３を取り付け、摘まみ１３は切刃１２の基部に固定する。
【００３４】
皮つきの大根６０を輪切りして面取りする場合、皮つき大根６０を包丁などを用いて所定の厚みに輪切りし、図７に示されるように、輪切りした大根６０の上端面に本例の輪抜き型７０の押込み刃７０Ａを載せ、輪抜き型７０を大根６０に押し込むと、皮を残して大根６０を輪抜きすることができる。
【００３５】
輪抜きが済むと、図８に示されるように、輪抜き型７０の上下位置を調整し、面取り具１０の切刃１２の円弧状部分１２Ａを大根５０の角部に切り込ませるとともに、面取り具１０の切刃１２の先端を輪抜きした大根５０の上端面に当て、その状態で摘まみ１３をレール７１に沿ってスライドさせると、大根５０の角部をアール状に面取りすることができ、このように作業性よく調理することができる。
【００３６】
なお、抜き型の平面閉形状は上記の実施形態のものに限定されず、動物の顔、自動車、飛行機など、他の閉形状を採用することもできる。また、食材は大根に限定されず、人参、蕪、さつまいも、里芋、じゃがいもなどの根菜類に適用することができる。
【符号の説明】
【００３７】
１０      面取り具
１１      グリップ
１２      切れ刃
１２Ａ、１２Ｂ    円弧状部分
２０Ａ  ２０Ｂ  ２０Ｃ      抜き型
２１      切れ刃
３０      切離し具
３１      グリップ
３２      切れ刃
５０      大根
５１      飾り大根
５２      押込み溝
５３      穴
【図１】
0003172268.tif 000003
【図２】
0003172268.tif 000004
【図３】
0003172268.tif 000005
【図４】
0003172268.tif 000006
【図５】
0003172268.tif 000007
【図６】
0003172268.tif 000008
【図７】
0003172268.tif 000009
【図８】
0003172268.tif 000010